(57)【特許請求の範囲】
【請求項１】
カプセルの脱落が容易な飲料抽出装置であって、ベース（1）及びベース内に設置された第一部材（2）と第二部材（3）とを備え、第一部材（2）内には環状のエッジ（41）を備えた飲料パッケージ（4）を収納可能な収納腔（21）を有し、第二部材（3）は第一部材（2）に対して前後スライド可能であり、その特徴は、
二つの挾持板（5）と二つのガイド板（9）とを備え、そのうち、
前記二つの挾持板（5）は、それぞれ前記第二部材（3）の左右両側に可動的に連結されていて、且つ第二部材（3）と共に前後方向でスライド可能であり、二つの挾持板（5）の前端は第二部材（3）の前端面にまで延伸して飲料パッケージ（4）を挾持でき、前記二つの挾持板（5）はそれぞれ軸を介してベース（1）のガイド構造に連結され、第二部材（3）が中間位置にまで前進した時に、第二部材（3）の駆動により前記二つの挾持板（5）の前端を開放状態にし、第二部材（3）が中間位置にまで後退した時に前記二つの挾持板（5）の前端を閉合状態にし、
二つのガイド板（9）はそれぞれベース（1）内の左右両側に前後にスライド可能に連結され、ガイド板（9）の前端には内側に凸状のプッシュ部（91）を有し、当該プッシュ部（91）は飲料パッケージの環状エッジ（41）の押圧用であり、第一部材の収納腔（21）側壁にはプッシュ部（91）を収納するためのギャップ（211）が設けられ、前記各ガイド板（9）の後部には前端が前向き且つ外向きに開放したリーディング溝（92）が設けられ、前記挾持板（5）の前記軸はリーディング溝（92）内でスライド可能であり、且つガイド板（9）を前後に動かすことができる、
飲料抽出装置。
【請求項２】
前記二つの挾持板（5）の前端にはそれぞれ第二部材（3）の前端面まで湾曲して延伸する阻止部（51）を有し、当該二つの阻止部（51）はコーヒーの飲料パッケージ（4）を収納する収納部を形成するために間隔をあけて設置されている、
ことを特徴とする請求項1に記載の飲料抽出装置。
【請求項３】
前記挾持板における前記阻止部（51）の下部は外側に湾曲する弧面（511）である、ことを特徴とする請求項2に記載の飲料抽出装置。
【請求項４】
前記各挾持板（5）の前部には高さ方向に沿って第一軸（6）が設けられ、各挾持板（5）の後部には高さ方向に沿って第二軸（7）が設けられており、
前記ベース（１）には前記挾持板の前記第一軸（6）及び前記第二軸（7）をガイドするための二組のガイド溝（８）が設けられ、前記ガイド溝（8）の前端は前向き且つ外向きの開放構造であり、
前記第一軸（６）が前記ガイド溝（8）内で移動することにより、第二部材（3）が一回前進と後退する際、前記第二部材（3）は前記挾持板（5）の前端を一回開閉させ、
前記挾持板の前記第一軸（6）は一貫して前記リーディング溝（92）内でスライドし、
飲料パッケージ（4）前端の一部を収納腔（21）に入れる際、二つの挾持板（5）が向かい合って開放し、且つ第一軸（6）がリーディング溝（92）の最先端に位置してガイド板（9）を前進させることができ、
二つの挾持板（5）が閉合状態であって、且つ第一軸（6）がリーディング溝（92）の最後端にある情況下で、第一軸（6）はガイド板（9）を後退させ、且つ飲料パッケージ（4）が収納腔（21）から離脱するようにする、ことを特徴とする請求項1、2又は3に記載の飲料抽出装置。
【請求項５】
前記ガイド溝（8）は後ストレート溝部（81）、前ストレート溝部（82）および後ストレート溝部（81）と前ストレート溝部（82）を連結する斜め溝部（83）からなり、その内、斜め溝部（83）は前向き且つ外向きに傾斜して設置され、前記第二軸（7）は一貫して後ストレート溝部（81）内でスライドし、前記リーディング溝（92）は後ストレート溝（921）、前ストレート溝（922）および後ストレート溝（921）と前ストレート溝（922）を連結する斜め溝（923）からなり、その内、斜め溝（923）は前向き且つ外向きに傾斜して設置され、飲料パッケージ（4）前端の一部が収納腔（21）に入った状態で、前記第一軸（6）は前ストレート溝部内（82）にあると同時に、前ストレート溝（922）の最先端にある、ことを特徴とする請求項4に記載の飲料抽出装置。
【請求項６】
前記第一部材（2）の左右両側には軸方向に沿って設置された挿入溝（22）が設けられ、前記各ガイド板（9）の前端には挿入板（93）があり、当該挿入板（93）は前記挿入溝（22）内に挿入し、且つ前後スライド可能で、前記プッシュ部（91）は挿入板（93）に設置されている、ことを特徴とする請求項4に記載の飲料抽出装置。
【請求項７】
前記第二部材（3）の両側にはそれぞれ凸軸（31）が設けられ、前記挾持板（5）の中部には横方向の内径が前記凸軸の直径より大きな挿入孔（52）が設けられ、前記凸軸（31）は当該挿入孔（52）に挿設されている、ことを特徴とする請求項4に記載の飲料抽出装置。
【請求項８】
前記ベース（1）は上部ケーシング（11）と下部ケーシング（12）とが対合連結してからなり、前記二組のガイド溝（8）は下部ケーシング（12）の左右両側に設置され、前記上部ケーシング（11）内の左右両側には第二軸（7）の上端のみがその内部でスライドするストレート溝（111）が設けられている、ことを特徴とする請求項4に記載の飲料抽出装置。
【請求項９】
前記上部ケーシング（11）内にはさらにガイド板（9）を前後ガイドする位置決め溝（112）が設けられている、ことを特徴とする請求項8に記載の飲料抽出装置。
【発明の詳細な説明】
【技術分野】
【０００１】
本発明はカプセルの脱落が容易な飲料抽出装置に関し、当該飲料抽出装置は主にコーヒーメーカーである。
【背景技術】
【０００２】
コーヒーメーカーは飲料抽出装置の一例であって、コーヒーメーカーにおける飲料抽出方向は主に水平及び垂直といった二つの方向がある。操作し易くするため、既存のコーヒーメーカーにはドリップバッグを自動的に脱落させる機能がある。
【０００３】
例えば、特許番号がZL94193279.6（公告番号はCN1130345Yである）である中国発明特許「定量包装ドリップコーヒーのパッケージ、及びこのようなパッケージを利用するエスプレッソ・コーヒーメーカー」には、コーヒードリップバッグが自動的に落下することを許容するコーヒーメーカー構造が開示されている。当該コーヒーメーカーはコーヒードリップバッグを脱落させることができるものの、止め具の回転を駆動する構造を専門的に設計する必要があるため、構造が複雑となり、説明書には止め具の回転を駆動する機械構造を具体的に開示していない。
【０００４】
このため、本出願者は構造が簡単且つ合理的で、操作が安定且つ便利で、手触りの良いコーヒーメーカーを発明した。特許番号ZL200720110811.2（公告番号はCN201044719Yである）である中国実用新案「コーヒーメーカーにおけるコーヒードリップバッグの自動脱落機構」にはこのようなコーヒーメーカーが開示されており、第二部材の両側にはそれぞれ挾持板が可動的に連結され、二つの挾持板の前端には何れも第二部材の前端面まで湾曲・延伸する阻止部を有し、前記二つの阻止部はコーヒートリップバッグを収納する収納部を形成するために間隔をあけて設置し、挾持板の前端は第二部材に対して開閉可能で、挾持板の前部には高さ方向に沿って第一軸が設けられ、挾持板の後部には高さ方向に沿って第二軸が設けられるが、ベースには対応する挾持板の第一軸と第二軸の上下端をガイドする二組のガイド溝が設けられ、各一組のガイド溝は上部ガイド溝と下部ガイド溝からなり、且つ各一組のガイド溝とそれに対応する第一軸のガイド・マッチング作用下、第二部材が後退する過程で、挾持板の前端を駆動して第二部材に対し少なくとも一回の開閉を行わせることを特徴とする。
【０００５】
前記コーヒーメーカーの構造はある程度改良を行ったが、ガイド溝の構造がやや複雑で、ベースでガイド溝の構造を加工しにくい。このほか、前記特許において、ドリップバッグを脱落させる過程でコーヒードリップバッグが第二部材の前端面に吸着して挾持板が開放してもコーヒードリップバッグが脱落しにくいことをもたらす可能性があり、さらに、第二部材が後退する過程で第一部材に対しコーヒードリップバッグを外側に一定の距離を飛び出させることを保証するために第一部材内にスプリングを設置する必要があり、これにより、挾持板がコーヒードリップバッグを第一部材の凹室から完全に持ち出すことを保証することができる。したがって、前記特許は更なる改良を行うことができる。
【発明の概要】
【発明が解決しようとする課題】
【０００６】
本発明が解決しようとする技術問題は上述した現状を鑑みて提出したドリップバッグの送り、脱落がより順調な飲料抽出装置であって、該機構はさらに構造が簡単且つ合理的である利点がある。
【課題を解決するための手段】
【０００７】
上述した技術問題を解消するため、本発明の技術案は以下の通りである。ベース及びベース内に設置された第一部材と第二部材を備えた飲料抽出装置であって、第一部材内には環状のエッジを備えた飲料パッケージを収納可能な収納腔を有し、第二部材は第一部材に対し前後スライド可能である。この飲料抽出装置において、さらに二つの挾持板を備え、前記二つの挾持板はそれぞれ前記第二部材の左右両側に可動的に連結され、且つ第二部材と共に前後スライド可能である。二つの挾持板の前端は第二部材の前端面まで延伸し、且つ飲料パッケージを挾持できると同時に、前記二つの挾持板は軸を介して前記ベースのガイド構造に連結されている。前記第二部材が中間状態にまで前進した時に、第二部材は前記二つの挾持板の前端を開放できるようにし、第二部材が中間状態にまで後退した時に挾持板の前端を閉合するようにする。二つのガイド板はベース内の左右両側において、前後方向にしかスライドすることができない。各ガイド板の前端には内側に凸状のプッシュ部を有し、当該プッシュ部は飲料パッケージの環状エッジを押すのに用いられる。第一部材の収納腔側壁にはプッシュ部を収納するためのギャップが設けられ、前記各ガイド板の後部には前端が前向き且つ外向きに開放したリーディング溝が設けられ、前記軸はリーディング溝内でスライド可能であり、且つガイド板を前後に動かすことができる。
【０００８】
好ましくは、前記二つの挾持板の前端には何れも第二部材の前端面にまで湾曲して延伸する阻止部を有し、当該二つの阻止部はコーヒートリップバッグを収納する収納部を形成できるように間隔をあけて設置する。コーヒートリップバッグに対する阻止部の阻止を通じて飲料パッケージを第二部材の前端面に位置決めすることができ、即ち飲料パッケージを挾持することができる。
【０００９】
好ましくは、前記挾持板における阻止部の内端面の下部は外側に湾曲する弧面である。そうすると、挾持板が閉合した状態で阻止部の内端面下部がコーヒードリップバッグに対し一定の支持作用を有することを保証することができ、コーヒードリップバッグをより安定的に間隔をあけて二つの阻止部を設置することにより形成されたコーヒードリップバッグを収納可能な収納部に収納させることができる。
【００１０】
好ましくは、各挾持板の前部に高さ方向に沿って第一軸が設けられ、各挾持板の後部に高さ方向に沿って第二軸が設けられ、前記ベースには相応する挾持板の第一軸と第二軸をガイドするための二組のガイド溝が設けられ、ガイド溝の前端は前向き且つ外向きに開放した構造である。即ち、第一軸がガイド溝に沿って移動することにより、第二部材が一回の前進と後退する過程で挾持板の前端の一回の開閉が行われる。前期ガイド板の後部には前端が前向き且つ外向きに開放した構造を有するリーディング溝が設けられ、対応する挾持板の第一軸は一貫して当該リーディング溝内に位置し、且つ相対的にスライドすることができると同時に、飲料パッケージ前端の一部が収納腔に入った状態で、向かい合って設置されている二つの挾持板が開放され、且つ第一軸がリーディング溝の最先端にあることによりガイド板を前進させることができる。二つの挾持板が閉合し、且つ第一軸がリーディング溝の最後端にある状態で、第一軸はガイド板を後退させ、且つ飲料パッケージが収納腔から離脱するようにする。
【００１１】
二つの軸が溝に沿って移動することにより、第二部材に対する挾持板の安定的な開閉を保証することができる。勿論、第二部材が一回の前進と後退する過程で挾持板の前端を駆動して第二部材に対し一回の開閉を行わせることを満たす他の類似する軸と溝の移動構造を採用することができ、例えば、溝の外形に対し相応する変形を行えばよい。
【００１２】
好ましくは、前記ガイド溝は後ストレート溝部、前ストレート溝部および後ストレート溝部と前ストレート溝部を連結する斜め溝部からなり、その内、斜め溝部は前向き且つ外向きに傾斜して設置され、前記リーディング溝は後ストレート溝、前ストレート溝および後ストレート溝と前ストレート溝を連結する斜め溝からなり、その内、斜め溝は前向き且つ外向きに傾斜して設置され、前記第二軸は一貫して後ストレート溝部内でスライドし、飲料パッケージ前端の一部が収納腔に入った状態で、前記第一軸は前ストレート溝部内にあると同時に、前ストレート溝内の最先端にある。以上、前向き且つ外向きガイド溝とリーディング溝の具体的な構造で、当該ガイド溝とリーディング溝は構造が簡単で加工し易い利点がある。
【００１３】
更なる改良として、前記第一部材の左右両側には軸方向に沿って設置された挿入溝が設けられ、前記各ガイド板の前端には挿入板があり、当該挿入板は前記挿入溝内に挿入し、且つ前後スライド可能で、前記プッシュ部は挿入板に設置されている。ガイド板の前部と第一部材の間は挿入板と挿入溝を通じてマッチングし、ガイド板をより良くベース内に制約し、且つベースに対し前後にしかスライドできないことを保証する。
【００１４】
好ましくは、前記第二部材の両側にはそれぞれ凸軸が設けられ、前記挾持板の中部には横方向の内径が凸軸の直径より大きな挿入孔が設けられ、前記凸軸は当該挿入孔に挿設されている。勿論、当該挾持板はさらに他の構造で第二部材の側部に設置されることができ、例えば、挾持板の内端面に球状の凹溝を設け、凸軸の端部を球状の凹溝とマッチする球頭状に設計し、組立てる時に、凸軸の端部を挾持板の球状凹溝内に入れ、これにより挾持板は第二部材に対し開閉可能である。さらには凸軸を上向きの湾曲状に設計することができ、前記挾持板は上から下まで当該凸軸に套設され、これにより挾持板は第二部材に対し開閉可能で、当該構造は数種類に変化できる。
【００１５】
好ましくは、前記ベースは上部ケーシングと下部ケーシングが対合連結してからなり、これにより、他の各部品をベース内に組立てるのに便利で、前記二組のガイド溝は下部ケーシングの左右両側に設置され、前記上部ケーシング内の左右両側には第二軸の上端のみがその内部でスライドするストレート溝が設けられている。ストレート溝は第二軸の上端の対しガイド作用があり、挾持板の動作をさらに安定させる。
【００１６】
ガイド板に対しさらに制約と位置決めするために、前記上部ケーシング内にはさらにガイド板を前後ガイドする位置決め溝が設けられている。これにより、ガイド板がベースに対し安定的に前後にしかスライドできないことをより良く保証した。
【００１７】
従来技術に比べ、本発明は下記の利点がある。飲料パッケージは先ず挾持板前端の二つの阻止部の間に挾持され、第二部材と挾持板の前進に従って軸が溝に沿って移動され、挾持板前端の阻止部を適時に開放させ、飲料パッケージを順調に第一部品の収納腔内に送ることを保証する。同時に、挾持板の後退はプッシュ部が飲料パッケージの環状エッジを外側に押し動かすようにし、収納腔から飲料パッケージを押し出してパッケージの脱落を完成する。第二部材が引き続き後退し、第一軸がガイド溝に沿って移動され、挾持板前端の阻止部を閉合・復位させる。パッケージ脱落の全過程において、スプリングで飲料パッケージを飛び出せる必要がなく、挾持板の阻止部で再び飲料パッケージを挾持する必要もなく、コーヒードリップバッグの全脱落過程は簡潔で、且つ本装置における各部品の構造も簡単で、組立し易い。
【図面の簡単な説明】
【００１８】
【図１】本発明に係る実施例の立体構造略図である（抽出前の初期状態）。
【図２】本発明に係る実施例において、上部ケーシングを取り除いた後の立体構造略図である（抽出前の初期状態）。
【図３】本発明に係る実施例の構造断面図である（抽出前の初期状態）。
【図４】図3におけるA−A線断面図。
【図５】図3におけるB−B線断面図。
【図６】本発明に係る実施例において、上部ケーシングを取り除いた後の立体構造略図である（抽出・パッケージを装入且つ開放状態）。
【図７】本発明に係る実施例において、上部ケーシングを取り除いた後の立体構造略図である（抽出且つ閉合状態）。
【図８】本発明に係る実施例において、上部ケーシングを取り除いた後の構造断面図である（抽出且つ閉合状態）。
【図９】図8におけるC−C線断面図。
【図１０】図8におけるD−D線断面図。
【図１１】本発明に係る実施例において、抽出且つ閉合状態下での飲料パッケージの位置図。
【図１２】本発明に係る実施例において、抽出且つ閉合状態下でのガイド板プッシュ部の位置図。
【図１３】本発明に係る実施例において、上部ケーシングを取り除いた後の立体構造略図一である（パッケージが脱落する過程）。
【図１４】本発明に係る実施例において、上部ケーシングを取り除いた後の立体構造略図二である（パッケージが脱落する過程）。
【図１５】本発明に係る実施例における下部ケーシングの立体構造概略図である。
【図１６】本発明に係る実施例における上部ケーシングの立体構造概略図である。
【図１７】本発明に係る実施例におけるガイド板の立体構造概略図である。
【図１８】本発明に係る実施例における挾持板の立体構造概略図である。
【図１９】本発明に係る実施例における第一部材の立体構造概略図である。
【発明を実施するための形態】
【００１９】
本発明に係る一つの好ましい実施例は図1〜図19に示されている。
【００２０】
カプセルの脱落が容易な飲料抽出装置であって、ベース1及びベース内に設置された第一部材2、第二部材3を備え、ベース１は上部ケーシング11と下部ケーシング12が対合連結してからなる。
【００２１】
第一部材2はベース1内の先端に固定され、第二部材3はベース1内に制約され、且つ第一部材2に対し前後スライド可能で、勿論、完全な飲料抽出装置として、さらに第二部材3を駆動してスライドする駆動構造を備え、駆動構造は取っ手で駆動するコネクティングロッド構造であってもよく、これは通用の構造で、特許番号がZL200720110811.2（公告番号はCN201044719Yである）である中国実用新案「コーヒーメーカーにおけるコーヒードリップバッグの自動脱落機構」を参照されたい。
【００２２】
図19に示されているように、第一部材2内には環状のエッジ41を備えた飲料パッケージ4を収納可能な収納腔21を有し、その周辺及び環状のエッジ41は硬質材料により製造され、飲料パッケージ4の前後端面には水の流れ用の細孔が密布され、これはコーヒーメーカーにおいて、通常採用するコーヒードリップバッグの構造で、抽出する時、飲料パッケージの本体は収納腔21に入れられるが、環状のエッジ41は第二部材3の前端面に接着する。
【００２３】
第二部材3の左右両側にはそれぞれ挾持板5が可動的に連結され、挾持板5は第二部材3に従って前後スライド可能で、挾持板5が第二部材3に設置されている構造は下記のとおりである。第二部材3の左右両側にはそれぞれ凸軸31が設けられ、挾持板5の中部には横方向の内径が凸軸31の直径より大きな挿入孔52が設けられ、当該挿入孔52はストリップ孔で、即ち、当該挿入孔52の高さは凸軸31の直径と同じであるかやや高く、挿入孔52の横方向幅は凸軸31の直径より大きく、前記凸軸31は当該挿入孔52に挿設され、これにより二枚の挾持板5が第二部材3に対し開閉し易く、且つ挾持板5に対し上下位置決めを行うことができる。
【００２４】
図18に示されているように、二つの挾持板5の前端には何れも第二部材3の前端まで湾曲して延伸する阻止部51を有し、挾持板における阻止部51の内端面の下部は外側に湾曲した弧面511であるため、当該挾持板5は概ねL字形で、当該二つの阻止部51はコーヒートリップバッグ4を収納する収納部を形成するために間隔をあけて設置し、挾持板5の前端は第二部材3に対して開閉可能で、挾持板5の前部には高さ方向に沿って第一軸6が設けられ、挾持板5の後部には高さ方向に沿って第二軸7が設けられている。
【００２５】
ベース1に設置され、且つ対応する挾持板の第一軸6と第二軸7をガイドするための二組のガイド溝8は、図11に示されているように、下部ケーシング12の左右両側に設置され、ガイド溝8は前向き且つ外向きに開放しているため、基本的にZ字形を呈する。即ち、ガイド溝8は後ストレート溝部81、前ストレート溝部82および後ストレート溝部81と前ストレート溝部82を連結する斜め溝部83からなり、その内、斜め溝部83は前向き且つ外向きに傾斜して設置され、第二軸7は一貫して後ストレート溝部81内でスライドし、ガイド溝8と第一軸6のガイド・マッチング作用下、第二部材3が一回の前進と後退過程で、挾持板5の前端を駆動して第二部材3に対し一回の開閉を行うようにする。
【００２６】
図17に示されているように、二つのガイド板9はベース1内の左右両側に制約され、且つ前後にしかスライドすることができず、第一部材2の左右両側には軸方向に沿って設置された挿入溝22があり、各ガイド板9の前端には挿入板93があり、当該挿入板93は前記挿入溝31内に挿入し、且つ前後スライド可能である。図12に示されているように、上部ケーシング11内の左右両側には第二軸7の上端のみがその内部でスライドするストレート溝111が設けられ、上部ケーシング11内にはさらにガイド板9を前後ガイドする位置決め溝112が設けられ、ガイド板9の前端には飲料パッケージの環状エッジ41を押すのに用いる内側に凸のプッシュ部91を有し、プッシュ部91は挿入板93に設けられ、第一部材の収納腔21側壁にはプッシュ部91を収納するためのギャップ211が設けられ、ガイド板9の後部には前端が前向き且つ外向きに開放した構造を有するリーディング溝92が設けられているため、ガイド溝は基本的にZ字形を呈する。即ち、リーディング溝92は後ストレート溝921、前ストレート溝922および後ストレート溝921と前ストレート溝922を連結する斜め溝923からなり、その内、斜め溝923は前向き且つ外向きに傾斜して設置され、対応する挾持板の第一軸6は一貫して当該リーディング溝92内にあり、且つ相対的にスライド可能で、飲料パッケージ4前端の一部が収納腔21に入った状態で、第一軸6は前ストレート溝部82内にあると同時に、前ストレート溝922の最先端にある。
【００２７】
本飲料抽出装置の作業原理及びプロセスは下記の通りである。
【００２８】
図１〜図６に示されているように、コーヒー飲料を作る時、飲料パッケージの環状のエッジ41を間隔をあけて二つの阻止部51を設置することにより形成された収納部に置き、第二部材3と阻止部51の阻止、及び阻止部51内端面の下部、即ち、外部に湾曲した弧面511の支持により、飲料パッケージ4は安定的に第二部材3の前端に位置決められることができ、この時、挾持板5上の第一軸6と第二軸7の下端は全てガイド溝8の後ストレート溝部81内にあり、第一軸6の上端はガイド板9におけるリーディング溝92の前ストレート溝部922内に位置し、第二軸7の上端はストレート溝111内に位置する。続いて、駆動構造は第二部材3を駆動して第一部材2に対し前進するようにし、第一軸6と第二軸7の下端はガイド溝8の後ストレート溝部81にて前へスライドし、当該飲料パッケージ4の本体部分が第一部材2の収納腔41に進入した状況下、第一軸6下端は斜め溝部83を通じて前ストレート溝部82内に進入し、第一軸6の上端は斜め溝部923を通じて前ストレート溝部922内に進入し、第一軸6の上端と下端は前進すると同時に、次第に外側に偏移するが、第二軸7の水平位置は一貫して変わらないため、挾持板5上の阻止部51を第二部材3に対して逐次に開放し、第一軸6の上端がリーディング溝92における前ストレート溝部922の前内端面に接触するまで第二部材3は引き続き前進し、第一軸6はガイド板9の前進を推進し、第一軸6の下端がガイド溝8における前ストレート溝部82の最先端にまで移動すると、挾持板5の阻止部は第一部材2の左右両側に位置し、ガイド板9のプッシュ部91はギャップ211内に収納されると同時に、第一部材2の第二部材の3の間は完全に閉合され、当該装置は抽出を始まるが、図7〜図12に示されたとおりである。
【００２９】
全動作過程において、第二軸7の下端は一貫してガイド溝8の後ストレート溝部81内にあるが、第二軸7の上端は一貫してストレート溝111内にある。
【００３０】
図13〜図14に示されているように、飲料の制作が終了した後、第二部材3は第一部材2に対して後退し、第一軸6の下端が斜め溝部83を通じて前ストレート溝部82内に進入し、軸第一6の上端が斜め溝部923を通じて前ストレート溝部922内に進入すると、第一軸6の上端と下端は後退すると同時に、逐次に内側に偏移するが、第二軸7の水平位置が一貫して不変であるため、初期位置に回復するまで挾持板5上の阻止部51は第二部材3に対し逐次に閉合、この時、飲料パッケージ4は依然として第一部材2の収納腔21にあり、第一軸6の上端とリーディング溝92における後ストレート溝部921の後内端面に接触するまで第二部材3は引き続き後退し、第一軸6はガイド板9を押して後退し、ガイド板9のプッシュ部92は飲料パッケージの環状エッジを外側に押し、飲料パッケージを収納腔から押し出し、パッケージの脱落を完了するが、この時、挾持板5は初期状態にある。
【図１】
0005530038.tif 000002
【図２】
0005530038.tif 000003
【図３】
0005530038.tif 000004
【図４】
0005530038.tif 000005
【図５】
0005530038.tif 000006
【図６】
0005530038.tif 000007
【図７】
0005530038.tif 000008
【図８】
0005530038.tif 000009
【図９】
0005530038.tif 000010
【図１０】
0005530038.tif 000011
【図１１】
0005530038.tif 000012
【図１２】
0005530038.tif 000013
【図１３】
0005530038.tif 000014
【図１４】
0005530038.tif 000015
【図１５】
0005530038.tif 000016
【図１６】
0005530038.tif 000017
【図１７】
0005530038.tif 000018
【図１８】
0005530038.tif 000019
【図１９】
0005530038.tif 000020